(57)【要約】【課題】  簡単な構成で強度が保たれる梱包箱を提供する。【解決手段】  仕切り部４から延在して底部形成部材５Ａが形成される。仕切り部４は開口部１６が形成されると共に、開口部１６の複数の辺部をそれぞれ折り曲げ部として連接する複数の外壁部１９、２１、２３を備える。底部形成部材５Ａは、開口部１６と対向する底板部９と、底板部９の複数の辺部をそれぞれ折り曲げ部として底板部９に連接し、それぞれ外壁部の内側に重なる複数の内壁部１１、１３、１５を備える。【選択図】        図１
2005280790.tif 000002
【特許請求の範囲】
【請求項１】
箱体の内部に開口部を有する収納部が形成された梱包箱において、
板状の部材から構成され、前記開口部が形成された仕切り部と、
前記仕切り部から延在する底部形成部材とを備え、
前記仕切り部は、前記開口部の複数の辺部をそれぞれ折り曲げ部として該仕切り部に連接する複数の外壁部を備え、
前記底部形成部材は、前記開口部と対向する位置に折り曲げられる底板部と、
前記底板部の複数の辺部をそれぞれ折り曲げ部として該底板部に連接し、それぞれ前記外壁部の内側に重なって前記収納部の側壁部を構成する複数の内壁部を備えた
ことを特徴とする梱包箱。
【請求項２】
少なくとも１組の外壁部と内壁部の一方に舌片部を備えると共に、他方に前記舌片部が嵌る孔部を備えた
ことを特徴とする請求項１記載の梱包箱。
【請求項３】
前記舌片部は、前記孔部へ係止する抜け防止部を備えた
ことを特徴とする請求項２記載の梱包箱。
【請求項４】
前記底部形成部材は、前記底板部と折り曲げ部を介して連接すると共に、前記仕切り部と折り曲げ部を介して連接する側板部を備え、
前記側板部で前記収納部の側壁部の中の１つの面を構成する
ことを特徴とする請求項１記載の梱包箱。
【請求項５】
前記底板部は、前記外壁部と内壁部の重ね合わせによる厚さに応じて前記開口部より小さく構成される
ことを特徴とする請求項１記載の梱包箱。
【請求項６】
前記仕切り部は、前記箱体を構成する板状部材と連接した
ことを特徴とする請求項１記載の梱包箱。
【発明の詳細な説明】
【技術分野】
【０００１】
本発明は、箱体の内部に開口部を有する収納部が形成される梱包箱に関する。詳しくは、底部および二重構造の側壁部を有する収納部を、物品本体を収納する仕切り部の下側に、この仕切り部から延在した部位を折り曲げて形成して、物品本体と独立した付属品を収納できるようにしたものである。
【背景技術】
【０００２】
物品の梱包に使用される梱包箱では、物品本体の他に付属品等を収納する形態のものが多い。従来、梱包箱に発砲スチロールにより形成した緩衝材を入れて物品を保持する形態では、緩衝材に一体成形で付属品の収納部を構成したものが多い。
【０００３】
これに対して、環境問題から発砲スチロールを用いない梱包形態が提案されている。すなわち、紙で構成される部材のみで梱包箱を構成する技術が提案されている。
【０００４】
付属品の収納部を紙で構成される部材のみで構成する場合、例えば、箱体を構成する板状の紙部材の一部分を長くしてフラップと呼ばれる部分を形成し、フラップの一部に開口部を形成すると共に、開口部が形成されたフラップから更に延在したフラップを折り返して開口部と対向する底部を形成し、物品本体を収納する空間の上方に、付属品を収納する空間を形成する技術が提案されている（例えば、特許文献１参照。）。
【０００５】
この特許文献１では、開口部と連接する支持片を折り曲げて、開口部の底部を形成する技術も提案されている。
【０００６】
【特許文献１】特開平１０−７１２７号公報（段落番号００２１等）
【発明の開示】
【発明が解決しようとする課題】
【０００７】
しかし、上述した従来の技術では、開口部が形成されたフラップと連接するフラップを折り曲げて収納部を形成する構成、および開口部と連接した支持片を折り曲げて収納部を形成する構成の何れでも、収納部の形状を保持する構成を備えていないので、形状を保持する強度が弱いという問題がある。
【０００８】
また、従来の構成では、物品本体を収納する空間の上方に、付属品の収納部を形成しているので、箱体の底部からの衝撃を物品が受けやすい構造であるという問題がある。更に、箱体の蓋を開けたときに、先ず付属品が見えることになって、蓋を開けただけでは物品をすぐに見ることができないという問題がある。
【０００９】
本発明は、このような課題を解決するためになされたもので、簡単な構成で形状を保つことができる収納部を備えた梱包箱を提供することを目的とする。
【課題を解決するための手段】
【００１０】
上述した課題を解決するため、本発明に係る梱包箱は、箱体の内部に開口部を有する収納部が形成された梱包箱において、板状の部材から構成され、開口部が形成された仕切り部と、仕切り部から延在する底部形成部材とを備え、仕切り部は、開口部の複数の辺部をそれぞれ折り曲げ部として該仕切り部に連接する複数の外壁部を備え、底部形成部材は、開口部と対向する位置に折り曲げられる底板部と、底板部の複数の辺部をそれぞれ折り曲げ部として該底板部に連接し、それぞれ外壁部の内側に重なって収納部の側壁部を構成する複数の内壁部を備えたものである。
【００１１】
本発明に係る梱包箱では、仕切り部と底部形成部材は一枚の板状の部材から構成される。仕切り部において外壁部は、開口部と連接した部位を開口部に対して外側に向けて折り曲げることで構成される。
【００１２】
また、底部形成部材は仕切り部から連接した部位を折り曲げることで開口部と対向する位置に底板部が構成される。更に、内壁部は、底板部と連接した部位を底板部に対して内側に向けて折り曲げることで構成される。
【００１３】
開口部と底板部が対向することで各外壁部と各内壁部が重なるが、外壁部の内側に内壁部が重なるようにする。
【００１４】
紙等の板状の部材を折り曲げると、折り曲げた方向に対して反対方向に戻ろうとする。このため、外壁部は内側に戻ろうとし、内壁部は外側に戻ろうとする。これにより、外壁部と内壁部は押し付け合って形状を保持する。
【発明の効果】
【００１５】
本発明によれば、開口部と対向する底板部を、開口部が形成された仕切り部から延在されて連接した部位を折り曲げて形成すると共に、開口部と連接した部位を折り曲げて形成した外壁部の内側に、底板部と連接した部位を折り曲げて形成した内壁部を重ねることで、簡単な形状の一枚の板状の部材を折り曲げて所定の形状の収納部を構成することができる。
【００１６】
これにより、収納部の側壁部が外壁部と内壁部を重ね合わせた二重構造となるので、強度を向上させることができる。特に、外壁部は開口部側に折り曲げ部が形成され、内壁部は開口部と対向する側の底板部側に折り曲げ部が形成されているので、外壁部と内壁部が互いに押し付け合って収納部の形状を保持する構成となり、収納部の強度が向上する。また、側壁部を押す力等の外力に対しても強度が向上する。
【００１７】
例えば、少なくとも１組の外壁部と内壁部の一方に舌片部を備えると共に、他方に舌片部が嵌る孔部を備えることで、より強度を向上させることができる。
【００１８】
また、仕切り部の下側に収納部が形成されるので、収納部に付属品を収納し、仕切り部上に物品を収納する形態であれば、物品の下方に空間が形成されることになって、箱体の底部からの衝撃を物品が受けにくい構成とすることができる。更に、仕切り部上に物品を収納する形態であれば、箱体の蓋を開けたときに、物品をすぐに見ることができる。
【発明を実施するための最良の形態】
【００１９】
以下、図面を参照して本発明の梱包箱の実施の形態について説明する。図１〜図３は本実施の形態の梱包箱の構成例を示し、図１は梱包箱の要部展開平面図、図２は梱包箱の要部展開斜視図、図３は箱体を組み立てた状態の一部破断斜視図である。
【００２０】
本実施の形態の梱包箱１は、図３に示すように、箱体２の内部に例えば付属品を収納する収納部３が形成される。この収納部３を図１および図２に示す一枚の板状の紙部材を折り曲げることで構成する。なお、図１および図２は箱体２の中で収納部３を構成する部位の展開図である。
【００２１】
梱包箱１は、図１および図２に示すように、仕切り部４と、仕切り部４の一端から延在した底部形成部材５Ａを備える。底部形成部材５Ａは仕切り部４と折り曲げ部６ａ、６ｂを介して連接する側板部７と、折り曲げ部６ａ、６ｂと平行な折り曲げ部８を介して側板部７と連接する底板部９を備える。
【００２２】
底部形成部材５Ａにおいて、底板部９を挟んで側板部７と対向する部位に、この折り曲げ部８と平行な折り曲げ部１０を介して底板部９と連接する第１の内壁部１１を備える。
【００２３】
また、折り曲げ部８の一方の端部と折り曲げ部１０の一方の端部の間を結び、これら折り曲げ部８、１０と直交する折り曲げ部１２を介して底板部９と連接する第２の内壁部１３を備える。
【００２４】
更に、第２の内壁部１３と対向する部位に、折り曲げ部８の他方の端部と折り曲げ部１０の他方の端部の間を結び、これら折り曲げ部８、１０と直交する折り曲げ部１４を介して底板部９と連接する第３の内壁部１５を備える。
【００２５】
従って、底板部９は折り曲げ部８、１０、１２および１４を辺部とした長方形あるいは正方形となる。
【００２６】
仕切り部４は開口部１６を備える。開口部１６は一の辺部１７が折り曲げ部６ａ、６ｂと一列になる位置に形成される。仕切り部４において開口部１６の辺部１７と対向する部位には、辺部１７と平行な折り曲げ部１８を介して連接する第１の外壁部１９を備える。
【００２７】
第１の外壁部１９には、折り曲げ部１８と対向する部位である先端に舌片部１９ａが形成される。これに対応して、第１の内壁部１１には、舌片部１９ａが嵌る孔部であるスリット１１ａが形成される。
【００２８】
仕切り部４において、辺部１７の一方の端部と折り曲げ部１８の一方の端部の間を結び、折り曲げ部１８と直交する折り曲げ部２０を介して連接する第２の外壁部２１を備える。更に、第２の外壁部２１と対向する部位に、辺部１７の他方の端部と折り曲げ部１８の他方の端部の間を結び、折り曲げ部１８と直交する折り曲げ部２２を介して連接する第３の外壁部２３を備える。
【００２９】
従って、開口部１６は辺部１７と、折り曲げ部１８、２０および２２を辺部とした長方形あるいは正方形となる。ここで、開口部１６と底板部９は略同じ形状とする。本例では開口部１６と底板部９を長方形として説明するが、開口部１６の長手方向の長さをＬ１、短手方向の長さをＬ２とし、底板部９の長手方向の長さをＬ３、短手方向の長さをＬ４とすると、紙の厚みに応じて、Ｌ１＞Ｌ３およびＬ２＞Ｌ４とする。
【００３０】
また、後述するように、第１の内壁部１１、第２の内壁部１３および第３の内壁部１５と、第１の外壁部１９、第２の外壁部２１および第３の外壁部２３は、収納部３の側壁部を構成する。収納部３の深さは側板部７の短手方向の長さＬ５となる。
【００３１】
このため、各内壁部と各外壁部の短手方向の長さは、側板部７の短手方向の長さＬ５と同じかあるいは短くする。本例では、第１の内壁部１１の短手方向の長さをＬ６とすると、Ｌ５＞Ｌ６である。また、第２の内壁部１３の短手方向の長さと第３の内壁部１５の短手方向の長さを共にＬ７とすると、Ｌ５＞Ｌ７である。
【００３２】
これに対して、第１の外壁部１９の短手方向の長さと第２の外壁部２１の短手方向の長さ、および第３の外壁部２３の短手方向の長さを共にＬ８とすると、Ｌ５＝Ｌ８である。
【００３３】
以上説明した梱包箱１は、各折り曲げ部を所定の方向に折り曲げることで、図３に示す収納部３が形成される。図４および図５は本実施の形態の梱包箱の組み立て途中の状態を示し、図４は要部展開斜視図、図５は要部側面図であり、以下に収納部３を形成する動作について説明する。
【００３４】
ここで、梱包箱１においては、予め、プレス加工等によって各折り曲げ部を押圧して薄肉部を形成する等により、各折り曲げ部において折り曲げが行える加工が行われている。なお、１枚の紙部材に山折りの箇所と谷折りの箇所が混在する場合は、折り曲げる方向に応じた加工が行われる。
【００３５】
底部形成部材５Ａにおいて、折り曲げ部１０を矢印方向に山折りにして、底板部９に対して第１の内壁部１１を折り曲げる。同様に、折り曲げ部１２を矢印方向に山折りにして、底板部９に対して第２の内壁部１３を折り曲げ、折り曲げ部１４を矢印方向に山折りにして、底板部９に対して第３の内壁部１５を折り曲げる。
【００３６】
このように第１の内壁部１１と第２の内壁部１３および第３の内壁部１５を各折り曲げ部で折り曲げることで、長方形の底板部９が形成される。
【００３７】
次に、仕切り部４において、折り曲げ部１８を矢印方向に山折りにして、仕切り部４に対して第１の外壁部１９を折り曲げる。同様に、折り曲げ部２０を矢印方向に山折りにして、仕切り部４に対して第２の外壁部２１を折り曲げ、折り曲げ部２２を矢印方向に山折りにして、仕切り部４に対して第３の外壁部２３を折り曲げる。
【００３８】
このように第１の外壁部１９と第２の外壁部２１および第３の外壁部２３を各折り曲げ部で折り曲げることで、長方形の開口部１６が形成される。
【００３９】
次に、折り曲げ部６ａ、６ｂを矢印方向に山折りにして、仕切り部４に対して側板部７を折り曲げると共に、折り曲げ部８を矢印方向に山折りにして、側板部７に対して底板部９を折り曲げる。
【００４０】
そして、図５（ａ）に示すように、開口部１６に底板部９が対向するように折り曲げ部６ａ、６ｂおよび折り曲げ部８を折り曲げて行き、底板部９が仕切り部４に対して平行となるようにする。
【００４１】
開口部１６に底板部９を対向させると、側板部７が底板部９に対して立設した状態となる。また、開口部１６と底板部９は略同じ形状であるので、第１の内壁部１１と第１の外壁部１９、第２の内壁部１３と第２の外壁部２１、および第３の内壁部１５と第３の外壁部２３がそれぞれ重なる。
【００４２】
このとき、第１の外壁部１９の内側に第１の内壁部１１が重なり、第２の外壁部２１の内側に第２の内壁部１３が重なり、第３の外壁部２３の内側に第３の内壁部１５が重なるようにする。
【００４３】
そして、第１の内壁部１１に形成されたスリット１１ａに、第１の外壁部１９に形成された舌片部１９ａを挿入することで、図５（ｂ）に示すように収納部３が形成される。
【００４４】
図６は舌片部とスリットの構成例を示す要部正面図である。スリット１１ａは、第１の内壁部１１の一部に一文字に切り込みを入れて形成される。なお、舌片部１９ａの挿入を容易にするため、スリット１１ａの両端に舌片部１９ａの挿入方向に沿った切り込み１１ｂを入れて挿入誘導部を構成しても良い。
【００４５】
舌片部１９ａは、図６（ａ）に示すように、スリット１１ａの挿入方向に対して先端が細くなるように、舌片部１９ａの両端に傾斜部を設けることで、スリット１１ａへの挿入作業が容易となる。
【００４６】
これに対して、図６（ｂ）に示すように、スリット１１ａの挿入方向に対して舌片部１９ａの両端に凸部１９ｂを形成して抜け防止部を構成することで、組立後の舌片部１９ａのスリット１１ａからの抜けを防止できる。
【００４７】
なお、本例ではスリット１１ａを第１の内壁部１１に形成し、舌片部１９ａを第１の外壁部１９に形成したが、スリットを外壁部に形成し、舌片部を内壁部に形成しても良い。
【００４８】
また、第２の内壁部と外壁部、更には第３の内壁部と外壁部にスリットと舌片部を形成しても良いが、収納部３の強度保持と組立容易性を勘案すると、側板部７と対向する第１の内壁部と外壁部にスリットと舌片部を形成する形態が望ましい。
【００４９】
図７は収納部が組み立てられた状態を示し、図７（ａ）は斜視図、図７（ｂ）は図７（ａ）のＡ−Ａ断面図である。収納部３は、直方体の上面が開口部１６によって開口する。また、開口部１６と対向する底面は底板部９で塞がれる。更に、直方体の４側面を構成する側壁部の中で、一の面は側板部７で構成される。
【００５０】
残りの３面の側壁部は、第１の外壁部１９と第１の内壁部１１、第２の外壁部２１と第２の内壁部１３、そして第３の外壁部２３と第３の内壁部１５によってそれぞれ構成される。
【００５１】
紙等の板状の部材を折り曲げると、折り曲げた方向に対して反対方向に戻ろうとする。このため、図７（ｂ）に示すように、第２の外壁部２１は矢印ａで示す内側へ戻ろうとする。これに対して、第２の外壁部２１の内側に重なる第２の内壁部１３は矢印ｂで示す外側へ戻ろうとする。これにより、第２の外壁部２１と第２の内壁部１３は互いに押し付け合い、収納部３の側壁部の形状が保持される。
【００５２】
更に、第２の外壁部２１は開口部１６側に折り曲げ部２０が存在し、第２の内壁部１３は底板部９側に折り曲げ部１２が存在するので、第２の内壁部１３等に外力を受けた際に折り曲げ部が変形しにくい構造となっている。
【００５３】
同様に、第３の外壁部２３は矢印ｃで示す内側へ戻ろうとする。これに対して、第３の外壁部２３の内側に重なる第３の内壁部１５は矢印ｄで示す外側へ戻ろうとする。これにより、第３の外壁部２３と第３の内壁部１５は互いに押し付け合い、収納部３の側壁部の形状を保持する。
【００５４】
更に、第３の外壁部２３は開口部１６側に折り曲げ部２２が存在し、第３の内壁部１５は底板部９側に折り曲げ部１４が存在するので、第３の内壁部１５等に外力を受けた際に折り曲げ部が変形しにくい構造となっている。
【００５５】
図７（ｂ）では図示されないが、第１の外壁部１９と第１の内壁部１１も同様である。更に、第１の外壁部１９の舌片部１９ａを第１の内壁部１１のスリット１１ａに挿入しているので、第１の外壁部１９と第１の内壁部１１による側壁部の形状が保持されると共に、収納部３全体の形状が保持される。
【００５６】
さて、図１で説明したように、開口部１６の長手方向の長さをＬ１、短手方向の長さをＬ２とし、底板部９の長手方向の長さをＬ３、短手方向の長さをＬ４としたとき、紙の厚みに応じて、Ｌ１＞Ｌ３およびＬ２＞Ｌ４としている。
【００５７】
すなわち、各外壁部の内側にそれぞれ内壁部を重ねるので、開口部１６と底板部９の大きさを紙の厚さ相当分異ならせることで、図７に示すように収納部３を組み立てた場合、外壁部と内壁部が面で接することになって強度が向上する。また、見栄えが良くなる。
【００５８】
また、各内壁部と各外壁部の短手方向の長さは、側板部７の短手方向の長さＬ５と同じかあるいは短くする。特に、各内壁部の短手方向の長さを側板部７の短手方向の長さＬ５より短くすることで、各内壁部の先端が仕切り部４の表面に突出する形態となることを防ぐ。これにより、仕切り部４の上に物品本体を載せる収納形態であっても、収納の妨げになることはない。
【００５９】
このように、本実施の形態の梱包箱１では、簡単な形状の紙部材を折り曲げるだけで、強度が向上して形状を保持できる収納部３を構成することができる。これにより、収納部３を構成するための別部品の使用や、糊付け作業は不要である。従って、別部品の材料費や、糊付けの作業工程が不要であるので、梱包箱のコストを抑えることができる。
【００６０】
また、収納部３の側壁部は外力による変形が起こりにくく、外壁部と内壁部を重ね合わせた構成でほぼ閉塞された形態となるので、収納部３に収納される付属品等を梱包しているビニール製の袋を廃止することが可能となる。従って、環境への対応を考慮した使用が可能となる。
【００６１】
なお、本例では収納部３の４面の側壁部の中で、側板部７で構成される面以外の３面全てを外壁部と内壁部の二重構造としたが、少なくとも１面を二重構造とし、スリットと舌片部で係止する構成とすれば、収納部３の形状を保持することができる。
【００６２】
特に、側板部７と対向する面を第１の内壁部１１と第１の外壁部１９を重ね合わせた構成とし、スリット１１ａと舌片部１９ａで第１の内壁部１１と第１の外壁部１９を係止する構成とすれば、第２の内壁部１３と第２の外壁部２１はどちらか一方、同様に第３の内壁部１５と第３の外壁部２３はどちらか一方を備えれば、十分な強度を備えた構成として収納部３の形状を保持することができる。
【００６３】
すなわち、仕切り部４と底板部９を連接している側板部７と対向する部位で外壁部と内壁部を重ね合わせて仕切り部４と底板部９が係止できるような構成とすれば、収納部３の形状を保持するための強度が向上する。
【００６４】
更に、上述したように収納部３の側壁部を外壁部と内壁部のどちらか一方で構成する部位では、側壁部を外壁部で構成する場合は外壁部を底板部に係止する例えば鉤部等の係止構造を備え、側壁部を内壁部で構成する場合は内壁部を仕切り部に係止する例えば鉤部等の係止構造を備えれば、収納部３の形状保持の強度をより向上させることができる。
【００６５】
図８は梱包箱の全体構成例を示す展開平面図であり、次に箱体２の全体の構成について説明する。梱包箱１は図３に示すような箱体２の側壁部を構成する４枚の側板部３１、３２、３３、３４を備える。側板部３１と側板部３２は折り曲げ部３５を介して連接し、側板部３２と側板部３３は折り曲げ部３６を介して連接し、側板部３３と側板部３４は折り曲げ部３７を介して連接する。
【００６６】
側板部３１は側板部３２と対向する部位に折り曲げ部３８を介して糊付け片３９が連接する。この糊付け片３９は側板部３４の端部に接合される。また、側板部３１は折り曲げ部４０を介して蓋部４１が連接する。更に、蓋部４１と対向する部位に折り曲げ部４２を介して底板部４３が連接する。
【００６７】
蓋部４１は側板部３１と対向する部位に折り曲げ部４４を介して舌片部４５が連接する。また、蓋部４１の一方の側部には折り曲げ部４６を介して糊付け片４７が連接し、糊付け片４７と対向する他方の側部には折り曲げ部４８を介して中折れ片４９が連接する。
【００６８】
中折れ片４９は折り曲げ部４８に対して４５度の角度を成す折り曲げ部５０を備え、他端が折り曲げ部５１を介して側板部３２と連接する。
【００６９】
側板部３２は中折れ片４９と対向する部位に折り曲げ部５２を介して底板部５３が連接する。
【００７０】
側板部３３は折り曲げ部５４を介して第１の側板部５５が連接する。第１の側板部５５に折り曲げ部５６を介して図１〜図３等で説明した仕切り部４が連接する。折り曲げ部５６には、蓋部４１に連接した舌片部４５が嵌るスリット５６ａが形成される。なお、仕切り部４に形成される収納部に関連する部位は図１〜図３等で説明した番号を付して、ここでは説明を省略する。
【００７１】
仕切り部４には、図１〜図３等で説明した構成の他に、折り曲げ部５７を介して第２の側板部５８が連接し、折り曲げ部５９を介して第３の側板部６０が連接する。
【００７２】
第２の側板部５８には脚部５８ａが形成され、第３の側板部６０には脚部６０ａが形成される。また、第２の側板部５８は折り曲げ部６１を介して上片部６２が連接し、第３の側板部６０は折り曲げ部６３を介して上片部６４が連接する。
【００７３】
側板部３３は第１の側板部５５と対向する部位に折り曲げ部６５を介して底板部６６が連接する。
【００７４】
側板部３４は折り曲げ部６７を介して中折れ片６８が連接する。また、中折れ片６８と対向する部位に折り曲げ部６９を介して底板部７０が連接する。中折れ片６８は折り曲げ部６７と４５度の角度を成す折り曲げ部７１を備え、他端に蓋部４１に連接した糊付け片４７が接合される。
【００７５】
以上説明した梱包箱１は、収納部３に関連する部位に関しては、図４、図５等で説明した動作によって各折り曲げ部を所定の方向に折り曲げることで収納部３が形成される。
【００７６】
更に、他の各折り曲げ部を所定の方向に折り曲げることで箱体２が形成される。ここで、図８においては図面上に現れている側を梱包箱１の表面とし、各折り曲げ部において、破線で示す折り曲げ部は山折り方向に折り曲げ、二点鎖線で示す折り曲げ部は谷折り方向に折り曲げるとする。
【００７７】
図９は箱体を組み立てた状態を示す斜視図で、以下に箱体２を形成する動作について説明する。上述したが、梱包箱１においては各折り曲げ部で折り曲げが行える加工が行われている。まず、各側板部を連接する折り曲げ部３５、３６、３７と、糊付け片３９の折り曲げ部３８と、中折れ片４９の折り曲げ部４８を山折りにし、糊付け片３９を側板部３４の他端に糊付けして側板部３１、３２、３３、３４を枠状に組み立てる。また、糊付け片４７の折り曲げ部４６を山折りにし、糊付け片４７を中折れ片６８に糊付けする。
【００７８】
次に、底板部４３の折り曲げ部４２と、底板部５３の折り曲げ部５２と、底板部６６の折り曲げ部６５と、底板部７０の折り曲げ部６９とをそれぞれ山折りにし、各底板部の所定の位置を糊付けして各底板部を組み合わせて、箱体２の底部を形成する。
【００７９】
箱体２の内部に収納される収納部３の形成動作はここでは省略するが、仕切り部４においては、第１の側板部５５と側板部３３との折り曲げ部５４を山折りにし、第１の側板部５５と仕切り部４との折り曲げ部５６を谷折りにすることで、仕切り部４が箱体２の内部に入るようにする。
【００８０】
また、折り曲げ部５７を谷折りにして第２の側板部５８を仕切り部４に対して立設させると共に、折り曲げ部５９を谷折りにして第３の側板部６０を仕切り部４に対して立設させる。更に折り曲げ部６１を山折りにして上片部６２で箱体２の開口部の隙間を塞ぐと共に、折り曲げ部６３を山折りにして上片部６４で箱体２の開口部の隙間を塞ぐ。
【００８１】
ここで、図９に示すように仕切り部４を箱体２の内部に入れると、仕切り部４は第２の側板部５８の脚部５８ａと、第３の側板部６０の脚部６０ａと、収納部３を構成する部位によって支持される。
【００８２】
蓋部４１は、折り曲げ部４０を山折りにする。また、中折れ片４９の折り曲げ部５１と中折れ片６８の折り曲げ部６７を山折りにし、中折れ片４９の折り曲げ部５０と中折れ片６８の折り曲げ部７１は谷折りにする。
【００８３】
これにより、図９に示すように蓋部４１は箱体２に対して折り曲げ部４０を支点に開閉できるようになる。そして、舌片部４５の折り曲げ部４４を山折りにして、舌片部４５をスリット５６ａに挿入すれば、箱体２の開口部を蓋部４１で塞ぐことができる。
【００８４】
以上説明した梱包箱１では、収納部３に付属品等を収納できると共に、仕切り部４上に物品本体を収納することができる。そして、梱包箱１は収納部３を含めて１枚の紙部材を折り曲げることで形成され、収納部３の形成のために、複雑な形状の紙部材を使用したり、複雑な組立作業を行う必要がない。
【００８５】
また、仕切り部４の下側に収納部３が形成され、仕切り部４は第２の側板部５８の脚部５８ａと、第３の側板部６０の脚部６０ａと、収納部３を構成する部位によって支持されるので、仕切り部４上に物品本体を収納することで、物品の下方に空間が形成されることになって、箱体２の底部からの衝撃を物品が受けにくい構成とすることができる。また、仕切り部４上に物品を収納する形態であれば、箱体２の蓋部４１を開けたときに、物品をすぐに見ることができる。
【００８６】
図１０は本実施の形態の梱包箱の変形例を示し、図１０（ａ）は梱包箱の要部展開斜視図、図１０（ｂ）は収納部を組み立てた状態の要部斜視図である。
【００８７】
この変形例では、仕切り部４と連接する底部形成部材５Ｂにおいて、底板部９と仕切り部４の間に介在する側板部の構造を変更したものである。なお、図１および図２等で説明した構成と同じ機能を有する部位については同じ番号を付して説明する。
【００８８】
具体的には、底部形成部材５Ｂは仕切り部４と折り曲げ部６ａ、６ｂを介して連接する第１の側板部７ａと、折り曲げ部６ａ、６ｂと平行な折り曲げ部８ａを介して第１の側板部７ａと連接する第２の側板部７ｂと、折り曲げ部８ａと平行な折り曲げ部８ｂを介して第２の側板部７ｂと連接する底板部９を備える。
【００８９】
底部形成部材５Ｂにおいて、底板部９を挟んで第２の側板部７ｂと対向する部位に、折り曲げ部１０を介して底板部９と連接する第１の内壁部１１を備える。また、折り曲げ部１２を介して底板部９と連接する第２の内壁部１３を備える。更に、第２の内壁部１３と対向する部位に折り曲げ部１４を介して底板部９と連接する第３の内壁部１５を備える。
【００９０】
仕切り部４は開口部１６を備える。また、仕切り部４は折り曲げ部１８を介して連接する第１の外壁部１９と、折り曲げ部２０を介して連接する第２の外壁部２１と、折り曲げ部２２を介して連接する第３の外壁部２３を備える。
【００９１】
本変形例でも、開口部１６と底板部９は略同じ形状で、かつ、底板部９の大きさを、辺部１７と、折り曲げ部１８、２０、２２を辺とする開口部１６より若干小さくする。
【００９２】
また、収納部３の深さは第１の側板部７ａと第２の側板部７ｂの短手方向の長さを合計した値の半分となる。このため、各内壁部と各外壁部の短手方向の長さは、第１の側板部７ａと第２の側板部７ｂの短手方向の長さの合計の半分と同じかあるいは短くする。
【００９３】
以上説明した梱包箱１は、各折り曲げ部を所定の方向に折り曲げることで、図１０（ｂ）に示す収納部３が形成される。図１１および図１２は変形例の梱包箱の組み立て途中の状態を示し、図１１は要部展開斜視図、図１２は要部側面図であり、以下に収納部３を形成する動作について説明する。
【００９４】
まず、底部形成部材５Ｂにおいて、折り曲げ部１０を矢印方向に山折りにして、底板部９に対して第１の内壁部１１を折り曲げる。同様に、折り曲げ部１２を矢印方向に山折りにして、底板部９に対して第２の内壁部１３を折り曲げ、折り曲げ部１４を矢印方向に山折りにして、底板部９に対して第３の内壁部１５を折り曲げる。
【００９５】
このように第１の内壁部１１と第２の内壁部１３および第３の内壁部１５を各折り曲げ部で折り曲げることで、長方形の底板部９が形成される。
【００９６】
次に、仕切り部４において、折り曲げ部１８を矢印方向に山折りにして、仕切り部４に対して第１の外壁部１９を折り曲げる。同様に、折り曲げ部２０を矢印方向に山折りにして、仕切り部４に対して第２の外壁部２１を折り曲げ、折り曲げ部２２を矢印方向に山折りにして、仕切り部４に対して第３の外壁部２３を折り曲げる。
【００９７】
このように第１の外壁部１９と第２の外壁部２１および第３の外壁部２３を各折り曲げ部で折り曲げることで、長方形の開口部１６が形成される。
【００９８】
次に、折り曲げ部６ａ、６ｂを矢印方向に谷折りにして、仕切り部４に対して第１の側板部７ａを折り曲げる。また、折り曲げ部８ａを矢印方向に谷折りにして、第１の側板部７ａに対して第２の側板部７ｂを折り曲げる。更に、折り曲げ部８ｂを矢印方向に山折りにして、第２の側板部７ｂに対して底板部９を折り曲げる。
【００９９】
そして、図１２に示すように、開口部１６に底板部９が入り込むように折り曲げ部６ａ、６ｂおよび折り曲げ部８ａ、８ｂを折り曲げて行き、底板部９が開口部１６と対向し仕切り部４に対して平行となる位置まで押し込む。
【０１００】
開口部１６に底板部９を対向させると、第２の側板部７ｂが底板部９に対して立設した状態となる。また、第１の外壁部１９の内側に第１の内壁部１１が重なり、第２の外壁部２１の内側に第２の内壁部１３が重なり、第３の外壁部２３の内側に第３の内壁部１５が重なる。
【０１０１】
これにより、図１０（ｂ）に示すように、一の面が開口した直方体形状の収納箱３が形成される。この変形例でも、収納部３の４面の側壁部の中の３面は、第１の外壁部１９と第１の内壁部１１、第２の外壁部２１と第２の内壁部１３、そして第３の外壁部２３と第３の内壁部１５によってそれぞれ構成される。
【０１０２】
板状の紙部材を折り曲げると、折り曲げた方向に対して反対方向に戻ろうとする。このため、各外壁部は内側へ戻ろうとする。これに対して、外壁部の内側に重なる各内壁部は外側へ戻ろうとする。これにより、各外壁部と各内壁部は互いに押し付け合い、収納部３の側壁部の形状が保持される。
【０１０３】
ここで、変形例では収納部３の側壁部の１面を構成する側板部を、第１の側板部７ａと第２の側板部７ｂで二重に構成したので、収納部３の全体の強度を保つことができる。このため、変形例ではスリットと舌片部は設けていないが、例えば第１の内壁部１１にスリットを形成し、第１の外壁部１９に舌片部を形成しても良い。
【０１０４】
なお、変形例の梱包箱において、箱体の全体構成については図８で説明した構成を適用することができる。
【０１０５】
また、各実施の形態の収納部は開口部が四角形の直方体形状であるが、開口部および底部とも複数の辺部から構成されていれば、本発明を適用できるので、例えば開口部の形状が八角形でも良い。
【産業上の利用可能性】
【０１０６】
本発明は、物品を梱包する梱包箱において物品とは別体の付属品の収納部の構成として好適で、また、物品自体の収納部としても適用可能である。
【図面の簡単な説明】
【０１０７】
【図１】本実施の形態の梱包箱の構成例を示す要部展開平面図である。
【図２】本実施の形態の梱包箱の構成例を示す要部展開斜視図である。
【図３】本実施の形態の梱包箱の構成例を示す箱体を組み立てた状態の一部破断斜視図である。
【図４】本実施の形態の梱包箱の組み立て途中の状態を示す要部展開斜視図である。
【図５】本実施の形態の梱包箱の組み立て途中の状態を示す要部側面図である。
【図６】舌片部とスリットの構成例を示す要部正面図である。
【図７】収納部が組み立てられた状態を示し、図６（ａ）は斜視図、図６（ｂ）は図６（ａ）のＡ−Ａ断面図である。
【図８】梱包箱の全体構成例を示す展開平面図である。
【図９】箱体を組み立てた状態を示す斜視図である。
【図１０】本実施の形態の梱包箱の変形例を示し、図１０（ａ）は梱包箱の要部展開斜視図、図１０（ｂ）は収納部を組み立てた状態の要部斜視図である。
【図１１】変形例の梱包箱の組み立て途中の状態を示す要部展開斜視図である。
【図１２】変形例の梱包箱の組み立て途中の状態を示す要部側面図である。
【符号の説明】
【０１０８】
１・・・梱包箱、２・・・箱体、３・・・収納部、４・・・仕切り部、５・・・底部形成部材、６ａ、６ｂ・・・折り曲げ部、７・・・側板部、８・・・折り曲げ部、９・・・底板部、１０・・・折り曲げ部、１１・・・第１の内壁部、１１ａ・・・スリット、１２・・・折り曲げ部、１３・・・第２の内壁部、１４・・・折り曲げ部、１５・・・第３の内壁部、１６・・・開口部、１７・・・辺部、１８・・・折り曲げ部、１９・・・第１の外壁部、１９ａ・・・舌片部、２０・・・折り曲げ部、２１・・・第２の外壁部、２２・・・折り曲げ部、２３・・・第３の外壁部
【図１】
2005280790.tif 000003
【図２】
2005280790.tif 000004
【図３】
2005280790.tif 000005
【図４】
2005280790.tif 000006
【図５】
2005280790.tif 000007
【図６】
2005280790.tif 000008
【図７】
2005280790.tif 000009
【図８】
2005280790.tif 000010
【図９】
2005280790.tif 000011
【図１０】
2005280790.tif 000012
【図１１】
2005280790.tif 000013
【図１２】
2005280790.tif 000014